(57)【要約】      （修正有）【課題】レールを壁面等に締結する際に、レール表面が締結工具で誤って傷付けられるのを確実に防止して、適正な外観状態のままで締結できるレール用の損傷防止具を提供する。【解決手段】レール１は、一対の周側壁３と、取付壁面Ｗに締結される締結壁４と、周側壁３の端部に対向配置される一対の掛止壁５を含んで断面Ｃ字状に形成してある。損傷防止具２は、掛止壁５の外面を覆う保護壁１１と、保護壁１１に形成される締結ねじ１０用の差込み窓１２と、レール１の一部に接当して保護壁１１が掛止壁５の対向方向へ移動するのを規制する位置決め片１３とを備えている。締結ねじ１０を差込み窓１２からレール内部に差込んで締結工具１８で取付壁面Ｗにねじ込む状態において、締結工具１８に臨む掛止壁５の外面を保護壁１１で覆ってレール１の傷付を防止する。【選択図】図１
0003185864.tif 000002
【実用新案登録請求の範囲】
【請求項１】
アルミニウム条材からなるレール（１）を締結ねじ（１０）で取付壁面（Ｗ）に締結固定する際に使用する損傷防止具であって、
前記レール（１）は、一対の周側壁（３）と、取付壁面（Ｗ）に締結される締結壁（４）と、周側壁（３）の端部に対向配置される一対の掛止壁（５）を含んで断面Ｃ字状に形成されており、
損傷防止具（２）は、掛止壁（５）の外面を覆う保護壁（１１）と、保護壁（１１）に形成される締結ねじ（１０）用の差込み窓（１２）と、レール（１）の一部に接当して保護壁（１１）が掛止壁（５）の対向方向へ移動するのを規制する位置決め片（１３）とを備えており、
締結ねじ（１０）を差込み窓（１２）からレール内部に差込んで締結工具（１８）で取付壁面（Ｗ）にねじ込む状態において、締結工具（１８）に臨む掛止壁（５）の外面を保護壁（１１）で覆ってレール（１）の傷付を防止することを特徴とするレール用の損傷防止具。
【請求項２】
差込み窓（１２）の内縁に一対の位置決め片（１３）が設けられており、一対の位置決め片（１３）を各掛止壁（５）の対向端面で受止めて保護壁（１１）がレール（１）に対して位置決めされている請求項１に記載のレール用の損傷防止具。
【請求項３】
保護壁（１１）に、掛止壁（５）から離れる向きの補強リブ（１４）が形成してある請求項１または２に記載のレール用の損傷防止具。
【請求項４】
一対の位置決め片（１３）の保護壁（１１）からの突出寸法が掛止壁（５）の厚み寸法より大きく設定されており、
締結工具（１８）に臨む掛止壁（５）の対向端面を位置決め片（１３）で覆ってレール（１）の傷付を防止している請求項２または３に記載のレール用の損傷防止具。
【請求項５】
帯板状に形成した保護壁（１１）の一端寄りに差込み窓（１２）が開口され、他端側に手で押え保持される押え保持部（１５）が設けてある請求項１から４のいずれかに記載のレール用の損傷防止具。
【考案の詳細な説明】
【技術分野】
【０００１】
本考案は、レールを壁面などに締結する際に使用されて、レール表面が締結具等で誤って傷付けられるのを防ぐレール用の損傷防止具に関する。
【背景技術】
【０００２】
本考案に係る損傷防止具が適用されるレールは、例えば壁面や天井に固定されて額装された絵画等を支持するものであり、一般的にピクチャーレールと称される。この種のピクチャーレールの多くは、断面Ｃ字状のアルミニウム条材からなり、一対の周側壁と、周側壁の端部どうしを繋ぐ締結壁と、周側壁の下端に張出される掛止壁を一体に備えている。ピクチャーレールは、先の締結壁の外面を天井あるいは壁面にあてがった状態で、レール内部に差込んだビスをねじ込んで天井あるいは壁面に締結するが、こうしたレール締結構造は例えば特許文献１に見ることができる。
【先行技術文献】
【特許文献】
【０００３】
【特許文献１】特開２００１−３１４３０７号公報（段落番号００１０、図２）
【考案の概要】
【考案が解決しようとする課題】
【０００４】
上記のようにピクチャーレールは、木ねじあるいはタッピンねじを電動ドライバーなどでレールの内側からねじ込んで、天井あるいは壁面に締結するが、レール素材が鋼材に比べて軟らかいアルミニウム合金であるため、締結作業時にレール表面を誤って傷付けることがある。例えば、電動ドライバーに装着したドライバービットが、レール開口に臨む掛止壁に接触してレール表面を傷付け、外観を損なってしまうことがある。また、ドライバービットを固定支持するチャックがレール表面に接触して傷を生じることがある。とくに、ピクチャーレールの表面が着色されている場合には、着色層が傷付けられて銀白色のアルミニウム合金地金が露出するため、傷の存在が著しく目立ってしまう。
【０００５】
上記のように、ピクチャーレールの外観が損なわれると、そのことだけでレールの高級感が損なわれて雰囲気が貧相なものとなり、額装された絵画の印象までもが損なわれてしまう。こうした場合には、一旦取り付けたピクチャーレールを取外して、新規なピクチャーレールと交換することが要求されるため、施工業者にとってレール交換と再施工に係る余分なコスト負担を強いられる点で、何らかの対応策が不可欠となっていた。
【０００６】
本考案の目的は、レールを締結する際にレール表面が締結工具で誤って傷付けられるのを確実に防止して、レールを適正な外観状態のままで締結でき、従って、レール交換や再施工などの余分なコスト負担を排除できるレールの損傷防止具を提供することにある。
【課題を解決するための手段】
【０００７】
本考案に係るレール用の損傷防止具は、アルミニウム条材からなるレール１を締結ねじ１０で取付壁面Ｗに締結固定する際に使用される。レール１は、一対の周側壁３と、取付壁面Ｗに締結される締結壁４と、周側壁３の端部に対向配置される一対の掛止壁５を含んで断面Ｃ字状に形成されている。損傷防止具２は、掛止壁５の外面を覆う保護壁１１と、保護壁１１に形成される締結ねじ１０用の差込み窓１２と、レール１の一部に接当して保護壁１１が掛止壁５の対向方向へ移動するのを規制する位置決め片１３とを備えている。締結ねじ１０を差込み窓１２からレール内部に差込んで締結工具１８で取付壁面Ｗにねじ込む状態において、締結工具１８に臨む掛止壁５の外面を保護壁１１で覆ってレール１の傷付を防止することを特徴とする。
【０００８】
差込み窓１２の内縁に一対の位置決め片１３を設ける。一対の位置決め片１３を各掛止壁５の対向端面で受止めて保護壁１１をレール１に対して位置決めする。
【０００９】
保護壁１１に、掛止壁５から離れる向きの補強リブ１４を形成する。
【００１０】
一対の位置決め片１３の保護壁１１からの突出寸法を掛止壁５の厚み寸法より大きく設定する。締結工具１８に臨む掛止壁５の対向端面を位置決め片１３で覆ってレール１の傷付を防止する。
【００１１】
帯板状に形成した保護壁１１の一端寄りに差込み窓１２を開口し、他端側に手で押え保持される押え保持部１５を設ける。
【考案の効果】
【００１２】
本考案においては、掛止壁５の外面を覆う保護壁１１に、差込み窓１２および位置決め片１３を設けて損傷防止具２を構成し、損傷防止具２をレール１に装着した状態において、傷付きやすい掛止壁５の外面を保護壁１１で覆って保護できるようにした。従って、本考案の損傷防止具２によれば、レール１を締結ねじ１０で締結する際にレール表面が締結工具１８で誤って傷付けられるのを確実に防止して、レール１を適正な外観状態のままで締結できる。これにより、レール１を取付壁面Ｗに対して締結する際の傷付きリスクを排除して、レール表面を締結工具１８で誤って傷付けた場合の、レール交換や再施工などの余分なコスト負担を一掃することができる。保護壁１１に位置決め片１３を設けるのは、締結ねじ１０をねじ込む状態において、損傷防止具２がレール１に対して位置ずれするのを位置決め片１３で規制して、掛止壁５の外面を保護壁１１で確実に覆って保護するためである。
【００１３】
差込み窓１２の内縁に位置決め片１３を設け、各位置決め片１３を掛止壁５の対向端面で受止める位置決め構造によれば、例えば、周側壁３で位置決め片１３を受止める場合に比べて、損傷防止具２の全体構造を簡素化してコンパクト化できる。また、損傷防止具２をプレス金具で構成する場合には、保護壁１１の外郭線内の壁面を利用して位置決め片１３を形成できるので、損傷防止具２をより低コスト化できる。
【００１４】
保護壁１１に補強リブ１４を設けると、保護壁１１の構造強度を向上して、保護壁１１が折曲げられるのを防止して平坦形状を保持できるので、レール１に装着した状態における損傷防止具２を掛止壁５に対して安定した状態で密着させることができる。また、損傷防止具２をレール１に装着して手で押え保持する状態において、補強リブ１４は滑止め具として機能するので、レール１に装着した損傷防止具２をさらに的確に押え保持することができる。
【００１５】
一対の位置決め片１３の保護壁１１からの突出寸法を掛止壁５の厚み寸法より大きく設定し、掛止壁５の対向端面を位置決め片１３で覆うと、締結ねじ１０をねじ込む際に、掛止壁５の対向端面が締結ねじ１０や締結工具１８と接触するのを確実に防止できる。従って、掛止壁５の外面はもちろん、掛止壁５の対向端面をも損傷防止具２で保護して、レール表面の傷付をさらに確実に解消できる。
【００１６】
保護壁１１を帯板状に形成し、その一端寄りに差込み窓１２を開口し、他端側に手で押え保持される押え保持部１５を設けると、締結ねじ１０と損傷防止具２の双方を片方の手のみで確りと保持することができる。従って、締結工具１８による締結ねじ１０のねじ込み作業を簡便にしかも的確に行うことができる。
【図面の簡単な説明】
【００１７】
【図１】本考案に係るレール用の損傷防止具の使用例を示す縦断側面図である。
【図２】ピクチャーレールと損傷防止具の斜視図である。
【図３】損傷防止具の使用例を示す正面図である。
【図４】図３におけるＡ−Ａ線断面図である。
【図５】図１におけるＢ−Ｂ線断面図である。
【図６】損傷防止具の使用例を示す正面図である。
【図７】損傷防止具の使用例を示す縦断側面図である。
【図８】損傷防止具の変形例を示す正面図と断面図である。
【図９】損傷防止具の別の変形例を示す縦断側面図である。
【図１０】損傷防止具のさらに別の変形例を示す縦断側面図である。
【考案を実施するための形態】
【００１８】
（実施例）  図１ないし図７は本考案に係るレールの損傷防止具の実施例を示す。図１および図２において符号１はアルミニウム条材からなるピクチャーレール（レール）、符号２は損傷防止具である。ピクチャーレール１は、一対の周側壁３と、取付壁面Ｗに締結ねじ１０で締結される締結壁４と、周側壁３の端部に対向する状態で張出される一対の掛止壁５と、両掛止壁５の間のレール開口６を含んで断面Ｃ字状に形成してある。締結壁４の周側壁３との隣接隅部にはねじ下穴７を備えた隅リブが形成され、締結壁４の内面の幅方向中央には浅いＶ字溝８が形成してある。符号１０は締結ねじであり、この実施例では締結ねじがセルフドリリングビスである場合を示している。
【００１９】
損傷防止具２は、ステンレス板材製のプレス金具からなり、掛止壁５の外面を覆う帯板状の保護壁１１と、保護壁１１の一端寄りに開口される差込み窓１２と、差込み窓１２の対向内縁に折曲げ形成される一対の位置決め片１３とを一体に備えている。保護壁１１の上下幅寸法はレール１の上下幅寸法と一致させてあり、保護壁１１の掛止壁５との接合面には、掛止壁５から離れる向きの補強リブ１４が長辺部と平行に形成してある。差込み窓１２は長方形状に形成してあり、保護壁１１の長辺部と平行な窓内縁に位置決め片１３が形成してある。一対の位置決め片１３の保護壁１１からの突出寸法は、掛止壁５の厚み寸法より充分に大きく設定してある。
【００２０】
図３および図４に示すように、損傷防止具２は、掛止壁５の外面に保護壁１１をあてがって使用するが、この使用状態において、位置決め片１３はレール開口６の内部に入り込み、一対の掛止壁５の対向端面で受止められる。このように、位置決め片１３を掛止壁５の対向端面で受止めることにより、保護壁１１が掛止壁５の対向方向へ移動するのを規制して、保護壁１１をピクチャーレール１に対して位置決めすることができる。補強リブ１４は、保護壁１１の差込み窓１２が形成してある側の板面の過半部に形成してあり、残る板面は押え保持部１５として機能する。なお、一対の位置決め片１３の対向間隔は、ドライバービット（締結工具）１８の回転直径（対角寸法）より僅かに大きく設定してある。
【００２１】
ピクチャーレール１を取付壁面Ｗに固定する場合には、ピクチャーレール１を位置決めしたのち、図６およびに図７に示すように損傷防止具２の保護壁１１を掛止壁５の外面に被せつけ、差込み窓１２を締結ねじ１０の締結位置に臨ませる。この状態で押え保持部１５を手で押えて保持し、さらに親指と人指し指とで保持した締結ねじ１０のねじ軸端をＶ字溝８に接当し、操作頭部にドライバービット１８を係合して締結ねじ１０を取付壁面Ｗにねじ込む。保持部１５を設けておき、ピクチャーレール１に装着した損傷防止具２の保持部１５を手で押え保持することにより、損傷防止具２が自重で落下するのを防止しながら、締結ねじ１０を親指と人指し指とで保持することができる。
【００２２】
図１および図５に示すように、締結ねじ１０をドライバービット１８でねじ込み操作する過程では、掛止壁５の外面が保護壁１１で覆われ、さらに掛止壁５の対向端面が位置決め片１３で覆われるので、ドライバービット１８が掛止壁５の外面に直接接触するのを防止できる。従って、ピクチャーレール１を締結する際にレール表面がドライバービット１８や、電動ドライバーのチャックで誤って傷付けられるのを確実に防止して、ピクチャーレール１を適正な外観状態のままで締結することができる。同様にして、ピクチャーレール１の長手方向の複数個所を締結ねじ１０で締結することにより、ピクチャーレール１を取付壁面Ｗに固定することができる。
【００２３】
この実施例では、ピクチャーレール１が室内の周囲壁に締結される場合を想定したが、天井壁や鴨居などにピクチャーレール１を締結する場合にも、損傷防止具２を併用することによりピクチャーレール１の表面が傷付けられるのを確実に防止できる。なお、損傷防
止具２は図６に示す状態でピクチャーレール１に装着する必要はなく、左右を反転した状態でピクチャーレール１に装着してもよい。ステンレス板材製のプレス金具からなる損傷防止具２によれば、保護壁１１の外郭線内の壁面を利用して位置決め片１３を形成できるので、損傷防止具２の全体構造を簡素化して製造に要するコストを削減できる。
【００２４】
図８ないし図１０は、それぞれ損傷防止具２の変形例を示す。図８に示す損傷防止具２は、保護壁１１の左半部と右半部の前後幅寸法を大小に異ならせ、左右半部のそれぞれに前後幅が異なる差込み窓１２と位置決め片１３を形成するようにした。なお、左半部と右半部に折曲げ形成される位置決め片１３は、保護壁１１の表裏から互いに逆向きに突出する状態で形成してある。この損傷防止具２によれば、サイズが大小に異なる２種のピクチャーレール１に損傷防止具２を適用することができる。
【００２５】
図９に示す損傷防止具２は、保護壁１１の長辺部に一対の位置決め片１３を形成し、各位置決め片１３をピクチャーレール１の周側壁３で受止めて、保護壁１１をピクチャーレール１に対して位置決めできるようにした。つまり、一対の位置決め片１３で両周側壁３を挟持して保護壁１１を位置決めするようにした。位置決め片１３の片方にはばね腕２１が設けてあり、周側壁３で受け止められたばね腕２１は弾性変形して、損傷防止具２がピクチャーレール１から分離するのを防いでいる。このように、損傷防止具２のピクチャーレール１に対する装着状態をばね腕２１で自己保持できるようにすると、締結ねじ１０を電動ドライバーでねじ込み操作する際に、損傷防止具２を手で押え保持する必要がないので、締結ねじ１０のねじ込み操作を簡便に行うことができる。とくに、ピクチャーレール１を天井壁に固定する場合に、損傷防止具２がピクチャーレール１から脱落するのを防止して、締結ねじ１０を的確にねじ込み操作できる。
【００２６】
図１０に示す損傷防止具２は、保護壁１１にバーリング加工を施して丸穴状の差込み窓１２を形成し、同窓１２を囲む筒壁２２と、片方の周側壁３で受け止められた位置決め片１３とで周側壁３と掛止壁５を挟持して、保護壁１１をピクチャーレール１に対して位置決めできるようにした。この実施例における筒壁２２は位置決め片１３として機能しており、さらに、締結ねじ１０がレール開口６に沿って大きく傾動するのを防ぐ規制壁としても機能している。
【００２７】
図８から図１０に示す損傷防止具２は、以下の形態で実施することができる。
保護壁１１の左半部と右半部の幅寸法が、幅寸法（サイズ）が大小に異なる２種のレール１に対応して大小に異ならせてあり、左右半部のそれぞれに開口面積が大小に異なる差込み窓１２と、位置決め片１３が形成してある損傷防止具。
保護壁１１の長辺部に一対の位置決め片１３が形成されており、一対の位置決め片１３でレール１の一対の周側壁３を挟持して保護壁１１を位置決めしている損傷防止具。
保護壁１１の片方の長辺部に形成した位置決め片１３と、差込み窓１２に形成した位置決め片１３とで、周側壁３と掛止壁５を挟持して、保護壁１１を位置決めしている損傷防止具。
差込み窓１２に形成した位置決め片１３が、保護壁１１にバーリング加工を施して形成した筒壁２２からなる損傷防止具。
【００２８】
上記の実施例では、損傷防止具２の適用例としてピクチャーレール１を例示したが、その必要はなく、本考案に係る損傷防止具２は、下駄箱や食器棚などの小形の引戸パネル用のランナーを開閉案内するガイドレールを締結する際にも、同様に適用することができる。また、本考案に係る損傷防止具２は、ステンレス板材以外の鋼板や金属板材で形成することができ、必要があれば断面がコ字状のアルミニウム条材や、プラスチック成形品で形成することができる。
【００２９】
差込み窓１２は、四角形状の開口として形成する必要はなく、六角形や八角形などの多角形状の開口や、円形あるいはだ円形状の開口で形成してあってもよい。また、差込み窓１２は、保護壁１１の短辺縁で開口する切欠として形成してあってもよい。締結ねじ１０は、セルフドリリングビスに換えてタッピンビスや木ねじを使用することができる。ただし、木ねじを使用する場合には、締結壁４に木ねじを挿通するためのビス穴を予め形成しておくとよい。
【符号の説明】
【００３０】
１  ピクチャーレール（レール）
２  損傷防止具
３  周側壁
４  締結壁
５  掛止壁
６  レール開口
１０  締結ねじ
１１  保護壁
１２  差込み窓
１３  位置決め片
１８  ドライバービット（締結工具）
【図１】
0003185864.tif 000003
【図２】
0003185864.tif 000004
【図３】
0003185864.tif 000005
【図４】
0003185864.tif 000006
【図５】
0003185864.tif 000007
【図６】
0003185864.tif 000008
【図７】
0003185864.tif 000009
【図８】
0003185864.tif 000010
【図９】
0003185864.tif 000011
【図１０】
0003185864.tif 000012